(57)【要約】      （修正有）【課題】情報の記録ビットに応じて磁性体の有無が不連続に形成されたＢＰＲ−ＲＯＭ方式において、固定ビットバターンに起因するアシンメトリや隣接トラックからのクロストークを改善する。【解決手段】まず、ビットパターン記録媒体上の各セクタの平均磁化方向が第１及び第２の磁化方向にそれぞれ磁化させられた状態でセクタの再生が行われ、それぞれの再生特性が第１及び第２の再生特性として取得される（Ｓ５０１〜Ｓ５０７）。各セクタの平均磁化状態と第１及び第２の再生特性がセクタ管理情報として管理される。各セクタのうち、セクタエラーが発生するセクタについて、ビットパターン記録媒体上でのそのセクタの平均磁化方向が、そのセクタに対応するセクタ管理情報に含まれる第１の再生特性及び第２の再生特性のうち再生特性が良いほうに対応する磁化方向に磁化させられる（Ｓ５０８〜Ｓ５１０）。これにより再生特性が改善される。【選択図】図５
2009187602.tif 000002
【特許請求の範囲】
【請求項１】
情報の記録ビットに応じて磁性体の有無が不連続に形成された記録層を用いたビットパターン記録媒体からの情報再生を行う方法であって、
前記ビットパターン記録媒体上の各セクタの平均磁化状態をセクタ管理情報として管理するステップと、
該セクタ管理情報に基づいてそれに対応する前記ビットパターン記録媒体上のセクタに対する情報再生条件を設定するステップと、
を含むことを特徴とするビットパターン記録媒体の情報再生方法。
【請求項２】
情報の記録ビットに応じて磁性体の有無が不連続に形成された記録層を用いたビットパターン記録媒体からの情報再生を行う方法であって、
前記ビットパターン記録媒体上の各セクタの平均磁化方向を第１の磁化方向に磁化させた状態で該セクタの再生を行い、その再生特性を第１の再生特性として取得するステップと、
前記各セクタの平均磁化方向を前記第１の方向とは１８０度異なる第２の磁化方向に磁化させた状態で該セクタの再生を行い、その再生特性を第２の再生特性として取得するステップと、
前記ビットパターン記録媒体上の各セクタの平均磁化状態、前記第１の再生特性、及び前記第２の再生特性をセクタ管理情報として管理するステップと、
該セクタ管理情報に基づいてそれに対応する前記ビットパターン記録媒体上のセクタに対する情報再生条件を設定するステップと、
を含むことを特徴とするビットパターン記録媒体の情報再生方法。
【請求項３】
前記ビットパターン記録媒体上の各セクタのうち、セクタエラーが発生するセクタについて、前記ビットパターン記録媒体上での該セクタの平均磁化方向を、該セクタに対応する前記セクタ管理情報に含まれる前記第１の再生特性及び前記第２の再生特性のうち再生特性が良いほうに対応する磁化方向に磁化させるステップを更に含む、
ことを特徴とする請求項２に記載のビットパターン記録媒体の情報再生方法。
【請求項４】
前記ビットパターン記録媒体上の各セクタ間にバッファ領域を設け、該各セクタ間での前記平均磁化方向の切替え時には、前記バッファ領域のほぼ中心位置で切り替えるステップを更に含む、
ことを特徴とする請求項３に記載のビットパターン記録媒体の情報再生方法。
【請求項５】
前記第１及び第２の再生特性は、前記ビットパターン記録媒体上の各セクタからの情報再生時におけるエラーレート値、再生アンプのゲイン値及びオフセット値を含む、
ことを特徴とする請求項２乃至４の何れか１項に記載のビットパターン記録媒体の情報再生方法。
【請求項６】
前記ビットパターン記録媒体上の各セクタに対応する前記セクタ管理情報として、該セクタに対して前記ビットパターン記録媒体上のトラックに交差する方向に隣接するセクタの平均磁化状態を含む、
ことを特徴とする請求項２乃至５の何れか１項に記載のビットパターン記録媒体の情報再生方法。
【請求項７】
情報の記録ビットに応じて磁性体の有無が不連続に形成された記録層を用いたビットパターン記録媒体からの情報再生を行う装置であって、
前記ビットパターン記録媒体上の各セクタのビットパターンを指定された磁化方向で磁化する磁界印加手段と、
前記ビットパターン記録媒体上の各セクタのビットパターンの情報を再生する再生手段と、
前記ビットパターン記録媒体上の各セクタの平均磁化方向を前記磁界印加手段を介して第１の磁化方向に磁化させ、該磁化状態で前記再生手段を介して該セクタの再生を行い、その再生特性を第１の再生特性として取得すると共に、該セクタの平均磁化方向を前記磁界印加手段を介して前記第１の方向とは１８０度異なる第２の磁化方向に磁化させ、該磁化状態で前記再生手段を介して該セクタの再生を行い、その再生特性を第２の再生特性として取得するセクタ管理情報取得手段と、
前記ビットパターン記録媒体上の各セクタの平均磁化状態、前記第１の再生特性、及び前記第２の再生特性をセクタ管理情報として記憶するセクタ管理情報記憶手段と、
前記ビットパターン記録媒体上の各セクタのうち、セクタエラーが発生するセクタについて、前記ビットパターン記録媒体上での該セクタを、該セクタに対応する前記セクタ管理情報に含まれる前記第１の再生特性及び前記第２の再生特性のうち再生特性が良いほうに対応する磁化方向に前記磁界印加手段を介して磁化させる平均磁化方向制御手段と、
ことを特徴とするビットパターン記録媒体の情報再生装置。
【発明の詳細な説明】
【技術分野】
【０００１】
本発明は、情報の記録ビットに応じて磁性体の有無が不連続に形成された記録層を用いたビットパターン記録媒体における、情報の安定な再生技術に関する。
【背景技術】
【０００２】
ハードディスクは、図１６に示されるように、一般に、ベース１６０１に設置されたスピンドルモータ１６０２によって駆動される円盤状の記録媒体１６０３に対して、ベース１６０１に設置されたボイスコイルモータ１６０４によって駆動されるサスペンション１６０５の先端に設置された磁気ヘッド１６０６により情報の記録及び再生を行う構成を有する。
【０００３】
その記録容量は、年率２倍近いペースで増大し、近年では、図１７に示されるような、垂直磁気記録方式により、更に記録密度が改善されてきている。この方式では、軟磁性裏打ち層１７０１及び磁性層１７０２からなり媒体進行方向１７０８に回転移動する記録媒体に対して、主磁極１７０３、リターンヨーク１７０４、及びコイル１７０５を有する磁気ヘッドが発生する記録磁界１７０７によって、磁性層１７０２に記録媒体の表面に対する垂直方向に磁気記録がなされる。再生時には、この磁気記録状態が、再生素子１７０６によって読み出され、情報信号が再生される。
【０００４】
更に、将来の高密度磁気記録候補として、従来のような２次元的に連続な記録層ではなく、図１８に示されるように、情報の記録ビットに応じて磁性体の有無がビットパターン１８０１として不連続に形成された記録層を用いたＢＰＲ方式（ビットパターン記録方式：Ｂｉｔ  Ｐａｔｔｅｒｎｅｄ  Ｒｅｃｏｒｄｉｎｇ）が注目されている。
【０００５】
ＢＰＲ媒体は、原盤に形成されたビットパターンを転写することにより作製されるため、大量に同じビットパターンを有する媒体を製造することが可能になる。この特徴を利用すると、図１９に示されるように、ビットパターン１９０１の形状及び配置により情報を記録することで、ＢＰＲ−ＲＯＭ（ビットパターン記録方式リードオンリー記録媒体）として使用することができる。
【０００６】
近年、ＯＳ（オペレーティングシステム）やソフトウェア、動画コンテンツ等の容量が数十ギガバイト近くまで増大している。特に動画に関しては、ハイビジョンテレビの普及等により、高品質の画像の保存が要求されるため、要求記録容量が増大している。しかしながら、これらのコンテンツをＣＤ−ＲＯＭやＤＶＤで配信するためには、必要とする枚数が多くなってしまう。そのような際に上述のＢＰＲ−ＲＯＭ媒体を用いれば、ビットパターンの複製が容易であるため、コンテンツ配信には最適である。
【特許文献１】特開２００６−０３１８５６号公報
【発明の開示】
【発明が解決しようとする課題】
【０００７】
しかしながら、ＢＰＲ−ＲＯＭは固定パターンであるが故に、再生波形のアシンメトリや、隣接トラックからのクロストークが問題となる。
まず、アシンメトリについて説明する。ＢＰＲ媒体の再生において、異なるパターン、具体的には、記録ビットの長さの異なるパターンが再生された際に、図２０（ａ）の２００１及び２００２として示されるように、異なる出力振幅を有する信号が現れる。この場合に、図２０（ａ）の２００３として示されるように、それぞれの出力振幅より算出された出力中心値がほぼ一致している場合には、そのような再生波形はアシンメトリが小さい
波形という。一方、図２０（ｂ）の２００４及び２００５として示されるように、上記出力中心値がずれている場合には、そのような再生波形はアシンメトリが大きい波形という。
【０００８】
一方、クロストークとは、再生トラックに対して、隣接トラックがかなりオフセットして近づいている際に、隣接トラックからの信号が再生トラックに漏れ込み、例えば図２１の２１０１として示されるようなクロストーク波形として観察される現象をいう。
【０００９】
上述のようにアシンメトリが大きい波形においては、再生波形における情報のビット値を決定するための閾値（図２０の２００３、２００４、２００５等）の設定が困難になり、信号誤りを発生させるという問題点を有している。このアシンメトリは、ビットパターンの形状や、再生素子の有する非対称性及び検出回路の非線形性等に起因する現象である。この現象は、通常の連続磁気記録層を用いた場合には、情報の記録条件を調節する、具体的には記録ヘッドに流す電流波形に前述した再生特性と逆方向のアシンメトリをもたせて、記録し直すことで改善できる。
【００１０】
また、クロストークに関しては、情報を記録する際に、前述した再生信号のクロストークを小さくする方向へトラックオフセットを加えて、情報を記録し直すことで改善できる。
【００１１】
また、所謂書換え可能なＢＰＲ媒体の場合には、前述したアシンメトリやクロストークによるエラーが発生した情報セクタに対しては、交替セクタを用意し、そこに情報を記録することで、問題を回避することができる。
【００１２】
ところが、ＢＰＲ−ＲＯＭでは、予め工場にて固定的に記録されたパターンから情報が検出されるため、上述したような情報の書直しによる再生特性の改善や交替セクタへの追加記録が難しいという問題点を有していた。
【課題を解決するための手段】
【００１３】
本発明の課題は、ＢＰＲ−ＲＯＭ方式において、固定ビットバターンに起因するアシンメトリや隣接トラックからのクロストークを改善することにある。
本発明は、情報の記録ビットに応じて磁性体の有無が不連続に形成された記録層を用いたビットパターン記録媒体からの情報再生を行う方法又は装置を前提とする。
【００１４】
本発明の基本的な態様においては、ビットパターン記録媒体上の各セクタの平均磁化状態がセクタ管理情報として管理され、そのセクタ管理情報に基づいてそれに対応するビットパターン記録媒体上のセクタに対する情報再生条件が設定される。
【００１５】
より具体的な態様は、以下の通りである。
まず、ビットパターン記録媒体上の各セクタの平均磁化方向が第１の磁化方向に磁化させられた状態でセクタの再生が行われ、その再生特性が第１の再生特性として取得される。
【００１６】
次に、各セクタの平均磁化方向が第１の方向とは１８０度異なる第２の磁化方向に磁化させられた状態でそのセクタの再生が行われ、その再生特性が第２の再生特性として取得される。
【００１７】
これらの第１及び第２の再生特性は、例えば、ビットパターン記録媒体上の各セクタからの情報再生時におけるエラーレート値、再生アンプのゲイン値及びオフセット値を含む。
【００１８】
上述のようにして取得されたビットパターン記録媒体上の各セクタの第１の再生特性及び第２の再生特性が、そのセクタの平均磁化状態と共にセクタ管理情報として管理される。
【００１９】
そして、そのセクタ管理情報に基づいてそれに対応するビットパターン記録媒体上のセクタに対する情報再生条件が設定される。具体的には、ビットパターン記録媒体上の各セクタのうち、セクタエラーが発生するセクタについて、ビットパターン記録媒体上でのそのセクタの平均磁化方向が、そのセクタに対応するセクタ管理情報に含まれる第１の再生特性及び第２の再生特性のうち再生特性が良いほうに対応する磁化方向に磁化させられる。
【００２０】
上記態様において、ビットパターン記録媒体上の各セクタ間にバッファ領域が設けられ、その各セクタ間での平均磁化方向の切替え時には、バッファ領域のほぼ中心位置で切り替えられるように構成することができる。
【００２１】
また、上記態様において、ビットパターン記録媒体上の各セクタに対応するセクタ管理情報として、そのセクタに対してビットパターン記録媒体上のトラックに交差する方向に隣接するセクタの平均磁化状態を含むように構成することができる。
【００２２】
上記本発明の態様を実現するために、ビットパターン記録媒体上の各セクタのビットパターンを指定された磁化方向で磁化する磁界印加手段（例えば図３の３０３）、ビットパターン記録媒体上の各セクタのビットパターンの情報を再生する再生手段（例えば図３の３０４）、及びセクタ管理情報を取得するセクタ管理情報取得手段（例えば図４の４０７）、セクタ管理情報を記憶するセクタ管理情報記憶手段（例えば図４の４０９）、及び第１及び第２の再生特性を比較しながら各セクタを磁化する平均磁化方向制御手段（例えば図４の４０７）とからなる情報再生装置を構成することができる。
【発明の効果】
【００２３】
本発明に係るセクタ毎の平均磁化状態及びその磁化状態での再生特性をセクタ管理情報として管理するとともに、それを再生条件の設定に利用することで、固定ビットバターンに起因したアシンメトリや隣接トラックからのクロストークを改善することで、情報を正確に且つ安定に再生することが可能になる。
【００２４】
また、そのことにより、大容量コンテンツを歩留まり良く、安価で配信することが可能となる。
【発明を実施するための最良の形態】
【００２５】
以下、図面を参照しながら、本発明を実施するための最良の形態を詳細に説明する。
図１は、本発明の実施形態におけるＢＰＲ−ＲＯＭ媒体の断面構成図である。また、図２は、ＢＰＲ−ＲＯＭ媒体の作製処理を示すフロー図である。以下、１０１〜１０８の各参照番号は図１の、Ｓ２０１〜Ｓ２２０の参照番号は図２の、各参照番号に対応している。
【００２６】
ガラス基板１０１が研磨された後、その基板上に、下地層１０２として、ＮｉＣｒ合金層が形成される（Ｓ２０１、Ｓ２０２）。下地層としては、膜の密着性を高める金属で、耐食性があれば特にＮｉＣｒ合金以外の材料も使用できる。
【００２７】
下地層１０２の上には、ＦｅＣｏＣｒＢ合金層の間にサブナノメータの厚みのＲｕ合金層が挿入され、上下のＦｅＣｏＣｒＢ合金層の磁化がＲｕ合金層を介して反平行にカップ
リングされた軟磁性裏打ち層（ＳＵＬ：Ｓｏｆｔ  Ｕｎｄｅｒ Ｌａｙｅｒ）１０３が成膜される（Ｓ２０３）。
【００２８】
軟磁性裏打ち層１０３の上には、中間層１０４として、Ｔａ合金層及びＲｕ合金層が成膜される（Ｓ２０４）。
中間層１０４の上に、ＣｏＣｒＰｔ合金を用いた垂直磁気記録層１０６が成膜される（Ｓ２０５）。垂直磁気記録層１０６としては、Ｃｏ／Ｐｔの薄膜が多層に形成された人工格子膜が用いられても問題ない。
【００２９】
垂直磁気記録記録層１０６の上には、保護層１０７として、カーボン（Ｃ）層が成膜される（Ｓ２０６）。
以上のようにして成膜媒体が作製される。
【００３０】
一方、上記の処理とは独立して、原盤が、レジスト塗布（Ｓ２１６）、サーボパターン電子線露光（Ｓ２１７）、現像（Ｓ２１８）、洗浄（Ｓ２１９）、完成（Ｓ２２０）の各処理によって作製される。
【００３１】
このようにして作製された原盤のパターンは、前述のＳ２０１〜Ｓ２０６によって作製され更にポリマー塗布が処理（Ｓ２０７）された成膜媒体に対して、転写され（Ｓ２０８）、定着される（Ｓ２０９）。
【００３２】
続いて、ビットパターンが転写された成膜媒体において、反応性イオンエッチング（ＲＩＥ：Ｒｅａｃｔｉｖｅ  Ｉｏｎ  Ｅｔｃｈｉｎｇ）法により、垂直磁気記録層１０６によるビットパターンが形成される。
【００３３】
その後、残ポリマー等の除去のための洗浄が行われ（Ｓ２１１）、垂直磁気記録層１０６のビットパターンを覆うように、Ｔａ合金等の耐食性に強い合金による非磁性層１０５が成膜され（Ｓ２１２）、その上に保護層１０７（Ｓ２１３）、潤滑層１０８（Ｓ２１４）が順に成膜され、ビットパターンメディア（ＢＰＭ）が完成する（Ｓ２１５）。
【００３４】
次に、上述のようにして作製されたＢＰＲ−ＲＯＭ媒体を使った情報記録再生装置に関する、本発明の実施形態について説明する。
まず、図３は、ＢＰＲ再生ヘッドとＢＰＲ−ＲＯＭ媒体との関係を示す構成図である。図３に示されるように、磁界印加素子３０３及び再生素子３０４がスライダ３０２に取り付けられた構成を有する磁気ヘッドと、それを支持するサスペンション３０１とからなる部分が、上述のようにして作製されたＢＰＲ−ＲＯＭ媒体３０５上に浮上して、情報の再生及び本発明に係るセクタ毎の管理情情報の取得を行う。
【００３５】
図４は、図３の構成を含む本発明による情報再生装置の実施形態の構成図である。
ＢＰＲ−ＲＯＭ媒体４０１（図３の３０５と同じもの）は、スピンドルモータ４０２により所定の回転数で回転する。
【００３６】
また、磁気ヘッド４０３とそれを支持するサスペンション４０４は、ボイスコイルモータ４０５により、所定の媒体半径位置へアクセスできる。
ＢＰＲ−ＲＯＭ媒体４０１には、予めサーボパターンも形成されており（図２のＳ２１７参照）、磁気ヘッド４０３により検出されたサーボ信号をもとに所定のトラックへのトラッキングが行われる。
【００３７】
ＢＰＲ−ＲＯＭ媒体４０１の回転及び所定のトラック及びセクタへのアクセスは、メインコントローラユニット４０７の監視のもとで、サーボコントローラ４１０により、スピ
ンドルモータ４０２、並びに、ボイスコイルモータ４０５、サスペンション４０４、及び磁気ヘッド４０３を制御して行われる。
【００３８】
磁気ヘッド４０３によりＢＰＲ−ＲＯＭ媒体４０１から読み出された情報信号は、プリアンプ４０６を通してメインコントローラユニット４０７に入力される。
データバッファメモリ４０８は、再生された情報信号を一時的に記録し、必要に応じて外部機器にＤＭＡ転送等する。
【００３９】
フラッシュメモリ４０９は、本発明に係るセクタ管理情報を記録する。このセクタ管理情報は、情報の再生時に、制御情報としてフラッシュメモリ４０９からメインコントローラユニット４０７に読み出される。
【００４０】
図５は、本発明に係るセクタ管理情報の取得と設定の処理を示す動作フローチャートである。この動作は、メインコントローラユニット４０７が、それに内蔵されたプログラムを実行しながら、図４の各部を制御する動作として実現される。
【００４１】
まず、ＢＰＲ−ＲＯＭ媒体４０１上の所望のセクタ（第ｍセクタ）へアクセスして情報の再生が行われ（Ｓ５０１）、セクタエラーが発生しているか否かが確認される（Ｓ５０２）。
【００４２】
セクタエラーが発生しておらず、ステップＳ５０２の判定がＮＯならば、セクタ番号ｍがプラス１され（Ｓ５０３），次のセクタへのアクセスが行われる（Ｓ５０３−＞Ｓ５０１）。
【００４３】
第ｍセクタにてエラーが発生しステップＳ５０２の判定がＹＥＳとなった場合には、再生特性パラメータとして、バイトエラーレイト（ＢＥＲ：Ｂｙｔｅ  Ｅｒｒｏｒ  Ｒａｔｅ）が取得され、それをＤＡ（デジタルアナログ）変換された値がＢＥＲ０として、メインコントローラユニット４０７内の特には図示しないレジスタ等に保持される（Ｓ５０４）。
【００４４】
その後、スピンドルモータ４０２が１回転又は整数倍回転するのを待って、再び第ｍセクタにアクセスされ、磁気ヘッド４０３内の磁界印加素子３０３（図３参照）を用いて、第ｍセクタ内の全てのビットパターンの垂直磁化極性（磁化の方向）が反転させられる（Ｓ５０５）。極性としては、例えば図１に示されるように、ＢＰＲ−ＲＯＭ媒体４０１の表面方向に磁化された極性をＰｏｌａｒｉｔｙ０、裏面方向に磁化された極性をＰｏｌａｒｉｔｙ１とし、ＢＰＲ−ＲＯＭ媒体４０１の初期状態としては、予めＰｏｌａｒｉｔｙ０又はＰｏｌａｒｉｔｙ１の何れかの極性に、媒体全体を磁化させておくことが望ましい。初期状態として、媒体全体が例えばＰｏｌａｒｉｔｙ０に磁化されているとすれば、ステップＳ５０５では、第ｍセクタ内の全てのビットパターンの垂直磁化極性が、Ｐｏｌａｒｉｔｙ１に反転させられる。
【００４５】
これに続いて、再び第ｍセクタにアクセスされ（Ｓ５０６）、ＢＥＲが測定される。この極性反転後のＢＥＲは、ＤＡ変換されてＢＥＲ１として、メインコントローラユニット４０７内の特には図示しないレジスタ等に保持される（Ｓ５０７）。
【００４６】
上述の処理によって取得された第ｍセクタに関するセクタ管理情報は、フラッシュメモリ４０９内に格納される例えば図６に示されるセクタ管理テーブルに、ゾーン番号（Ｚｏｎｅ  Ｎｏ．）、セクタ番号（Ｓｅｃｔｏｒ  Ｎｏ．）、現在の極性（Ｃｕｒｒｅｎｔ  Ｐｏｌａｒｉｔｙ  ｓｅｔｔｉｎｇ）、ＢＥＲ０（ＢＥＲ＠Ｐｏｌａｒｉｔｙ＝０）、ＢＥＲ１（ＢＥＲ＠Ｐｏｌａｒｉｔｙ＝１）として記録される。
【００４７】
また、第ｍセクタの情報の再生時における、プリアンプ４０６のゲイン（Ｇａｉｎ（ｄＢ））及びオフセット値（Ｏｆｆｓｅｔ（ｍＶ））も、図６に示されるように、上記セクタ管理情報の一部として記録することができる。
【００４８】
なお、図６では全てのセクタ（セクタエラーが発生していないセクタについても）に関するセクタ管理情報が記録されているが、セクタ管理情報の取得の条件は、使用用途により任意に設定すればよい。即ち、セクタエラーが発生したセクタのみについて上記セクタ管理情報が記録されるようにしてもよい。なお、図５の動作フローチャートは、セクタエラーが発生したセクタについてのみ、セクタ管理情報がフラッシュメモリ４０９に記録される構成となっている。
【００４９】
なお、セクタ管理情報は、必ずしもフラッシュメモリ４０９に記録して管理する必要はなく、場合によっては、ＢＰＲ−ＲＯＭ媒体４０１上に情報記録が可能な領域を設けてそこに記録して管理してもよい。
【００５０】
フラッシュメモリ４０９へのセクタ管理情報の記録に続いて、前述のＰｏｌａｒｉｔｙ（極性）＝０に関するＢＥＲ０値がＰｏｌａｒｉｔｙ＝１に関するＢＥＲ１値よりも大きいかが判定される（Ｓ５０８）。
【００５１】
ＢＥＲ０＞ＢＥＲ１でステップＳ５０８の判定がＹＥＳならば、ステップＳ５０５で設定された現在のＰｏｌａｒｉｔｙ＝１の極性状態のほうがエラーレートが小さいため、Ｐｏｌａｒｉｔｙ＝１が、フラッシュメモリ４０９内の図６に示されるセクタ管理テーブル（第ｍセクタ）に、セクタ管理情報の一部である現在の極性（Ｃｕｒｒｅｎｔ  Ｐｏｌａｒｉｔｙ  ｓｅｔｔｉｎｇ）として記録される（Ｓ５０８−＞Ｓ５１０）。
【００５２】
一方、ＢＥＲ０≦ＢＥＲ１でステップＳ５０８の判定がＮＯならば、ステップＳ５０１の最初の時点でのＰｏｌａｒｉｔｙ＝０の極性状態のほうがエラーレートが小さいため、スピンドルモータ４０２が１回転又は整数倍回転するのを待って、再び第ｍセクタにアクセスされ、磁気ヘッド４０３内の磁界印加素子３０３（図３参照）を用いて、第ｍセクタ内の全てのビットパターンの垂直磁化極性が、Ｐｏｌａｒｉｔｙ＝０に戻され（Ｓ５０９）、そのＰｏｌａｒｉｔｙ＝０が、フラッシュメモリ４０９内の図６に示されるセクタ管理テーブル（第ｍセクタ）に、セクタ管理情報の一部である現在の極性（Ｃｕｒｒｅｎｔ
Ｐｏｌａｒｉｔｙ  ｓｅｔｔｉｎｇ）として記録される（Ｓ５０９−＞Ｓ５１０）。
【００５３】
その後、セクタ番号ｍがプラス１され（Ｓ５１１），次のセクタへのアクセスが行われる（Ｓ５０３−＞Ｓ５０１）。
以上のようにして、ＢＥＲをもとにエラー特性が良好な方に垂直磁化極性を変えることで、次に同じセクタが再生される際の再生特性を向上させることが可能となる。
【００５４】
図７及び図８は、ＢＰＲ−ＲＯＭ媒体４０１上での極性配置例を示した図である。
図７は、隣接トラック７０２の再生トラック７０１側へのオフセット量が大きかったり、周囲のＰｏｌａｒｉｔｙ＝０のビットパターンの形状等の影響により、再生トラック７０１上のビットパターン７０３は、Ｐｏｌａｒｉｔｙ＝１に磁化されたほうがＢＥＲの特性が良好になることを示している。
【００５５】
また、図８において、ＢＰＲ−ＲＯＭ媒体４０１において同心円上で区切られた各区画がセクタ領域を示しており、白い区画８０１はＰｏｌａｒｉｔｙ＝０に磁化されているセクタ、黒い区間８０２はＰｏｌａｒｉｔｙ＝１に磁化されているセクタを示している。
【００５６】
このようにして、セクタによって極性が変えられることにより、「発明が解決しようとする課題」において説明したアシンメトリが改善される理由としては、次の２つのが考えられる。
【００５７】
第１の理由としては、極性の反転により信号検出回路の非線形性とビットパターンによるアシンメトリが打ち消される場合があるからである。
また、第２の理由としては、実際に再生素子３０４（図３参照）が受ける磁界としては、周囲のビットパターンからの磁束の影響もあるため、該当セクタの極性を反転されることで、アシンメトリが低減される場合があるからである。
【００５８】
上述した本発明の実施形態において、図９に示されるように、再生セクタ９０１に隣接する第１の隣接セクタ９０２及び第２の隣接セクタ９０３の極性情報も更に管理することで、再生特性の更なる改善を図ることが可能である。
【００５９】
図１０は、図４のフラッシュメモリ４０９に格納される、上記隣接セクタの極性も含めたセクタ管理情報が記録されるセクタ管理テーブルの例を示す。図１０において、「Ｉｎｎｅｒ  Ａｄｊａｃｅｎｔ  Ｐｏｌａｒｉｔｙ」は、図９の再生セクタ９０１に対して内側の第１の隣接セクタ９０２の極性を示し、「Ｏｕｔｅｒ  Ａｄｊａｃｅｎｔ  Ｐｏｌａｒｉｔｙ」は、同じく外側の第２の隣接セクタ９０３の極性を示している。
【００６０】
そもそも、「発明が解決しようとする課題」にて前述したＢＰＲ−ＲＯＭ媒体の問題点の一つであるクロストーク現象は、隣接トラックからの影響によるものである。そこで、図１０に示されるセクタ管理テーブルを管理しながら、各セクタごとに、隣接トラックの極性を変更しながらＢＥＲを判定することにより、再生特性を改善できる場合がある。
【００６１】
図１１は、隣接トラックの磁化状態が再生トラックに及ぼす影響を示す説明図である。隣接トラック１１０２の磁化状態により、磁束の流れ１１０３が発生し、再生トラック１１０１から再生素子３０４に流れ込む磁束の量が変化する。特に、図１１に示されるように、隣接トラック１１０２が再生トラック１１０１に近づく方向にオフセット（オフトラック）して形成されている場合には、再生トラック１１０１に対して、隣接トラック１１０２の極性が逆にされることで、クロストークが抑制される場合がある。
【００６２】
上述したようにして、セクタ毎の平均磁化状態とその際の再生特性、検出系のゲイン、オフセット等をセクタ管理情報として管理し、次にそのセクタを再生する際にそのセクタ管理情報を用いることで、大幅な再生特性の改善を図ることが可能となる。
【００６３】
その際に、極性の反転により問題が発生する場合がある。それは、極性の反転位置で急激に信号出力が変化することにより、例えば図１２の１２０１として示されるように、検出回路で信号の貼付き現象が生じてしまうことである。この貼付き現象とは、信号の変化が急激であるが故に、出力値が一瞬検出回路のダイナミックレンジを超えて飽和してしまい、再び正常な出力値に戻るまでに時間を要する現象である。
【００６４】
この現象を避けるために、本発明の実施形態では、図１３に示されるように、セクタ間にバッファ領域１３０１が設けられるとともに、極性の切り替えはバッファー領域のほぼ中心１３０２で行われる。
【００６５】
更に、この実施形態では、図１４に示されるように、磁気ヘッド４０３及びプリアンプ４０６（図４参照）からの信号の検出系として、第１の再生処理系１４０１と第２の再生処理系１４０２が設けられて、セクタの磁化極性に応じて、使用する再生処理系が選択される。その際、フラッシュメモリ４０９（図４参照）に格納されたセクタ管理情報により
、メインコントローラユニット４０７が、前述した図５の動作フローチャート等に基づいて、再生を行うセクタの再生処理系を、図１４の１４０１及び１４０２の何れかより選択する。その際、選択しなかった他方の再生処理系に対しては、入力信号をホールドさせておくことで、図１２で示した貼付き現象を回避することができる。
【００６６】
図１５は、図１４に示される再生処理系の選択とホールドのタイミングを模式的に示した動作タイミング図である。第ｍ−1セクタで極性（Ｐｏｌａｒｉｔｙ）が０であったものが、第ｍセクタで反転するにあたり、Ｒｅａｄ  Ｃｈａｎｎｅｌ  １＝第１の再生処理系１４０１はバッファ領域に入るとともにホールドし（ｔ１）、Ｒｅａｄ  Ｃｈａｎｎｅｌ  ２＝第２の再生処理系１４０２は、バッファ領域のほぼ中心（ｔ２）を少し過ぎた位置で再生を開始する（ｔ３）。これにより、再生信号の貼付き現象を回避できる。
【００６７】
以上説明した実施形態に関して、更に以下の付記を開示する。
（付記１）
情報の記録ビットに応じて磁性体の有無が不連続に形成された記録層を用いたビットパターン記録媒体からの情報再生を行う方法であって、
前記ビットパターン記録媒体上の各セクタの平均磁化状態をセクタ管理情報として管理するステップと、
該セクタ管理情報に基づいてそれに対応する前記ビットパターン記録媒体上のセクタに対する情報再生条件を設定するステップと、
を含むことを特徴とするビットパターン記録媒体の情報再生方法。
（付記２）
情報の記録ビットに応じて磁性体の有無が不連続に形成された記録層を用いたビットパターン記録媒体からの情報再生を行う方法であって、
前記ビットパターン記録媒体上の各セクタの平均磁化方向を第１の磁化方向に磁化させた状態で該セクタの再生を行い、その再生特性を第１の再生特性として取得するステップと、
前記各セクタの平均磁化方向を前記第１の方向とは１８０度異なる第２の磁化方向に磁化させた状態で該セクタの再生を行い、その再生特性を第２の再生特性として取得するステップと、
前記ビットパターン記録媒体上の各セクタの平均磁化状態、前記第１の再生特性、及び前記第２の再生特性をセクタ管理情報として管理するステップと、
該セクタ管理情報に基づいてそれに対応する前記ビットパターン記録媒体上のセクタに対する情報再生条件を設定するステップと、
を含むことを特徴とするビットパターン記録媒体の情報再生方法。
（付記３）
前記ビットパターン記録媒体上の各セクタのうち、セクタエラーが発生するセクタについて、前記ビットパターン記録媒体上での該セクタの平均磁化方向を、該セクタに対応する前記セクタ管理情報に含まれる前記第１の再生特性及び前記第２の再生特性のうち再生特性が良いほうに対応する磁化方向に磁化させるステップを更に含む、
ことを特徴とする付記２に記載のビットパターン記録媒体の情報再生方法。
（付記４）
前記ビットパターン記録媒体上の各セクタ間にバッファ領域を設け、該各セクタ間での前記平均磁化方向の切替え時には、前記バッファ領域のほぼ中心位置で切り替えるステップを更に含む、
ことを特徴とする付記３に記載のビットパターン記録媒体の情報再生方法。
（付記５）
前記第１及び第２の再生特性は、前記ビットパターン記録媒体上の各セクタからの情報再生時におけるエラーレート値、再生アンプのゲイン値及びオフセット値を含む、
ことを特徴とする付記２乃至４の何れか１項に記載のビットパターン記録媒体の情報再
生方法。
（付記６）
前記ビットパターン記録媒体上の各セクタに対応する前記セクタ管理情報として、該セクタに対して前記ビットパターン記録媒体上のトラックに交差する方向に隣接するセクタの平均磁化状態を含む、
ことを特徴とする付記２乃至５の何れか１項に記載のビットパターン記録媒体の情報再生方法。
（付記７）
情報の記録ビットに応じて磁性体の有無が不連続に形成された記録層を用いたビットパターン記録媒体からの情報再生を行う装置であって、
前記ビットパターン記録媒体上の各セクタのビットパターンを指定された磁化方向で磁化する磁界印加手段と、
前記ビットパターン記録媒体上の各セクタのビットパターンの情報を再生する再生手段と、
前記ビットパターン記録媒体上の各セクタの平均磁化方向を前記磁界印加手段を介して第１の磁化方向に磁化させ、該磁化状態で前記再生手段を介して該セクタの再生を行い、その再生特性を第１の再生特性として取得すると共に、該セクタの平均磁化方向を前記磁界印加手段を介して前記第１の方向とは１８０度異なる第２の磁化方向に磁化させ、該磁化状態で前記再生手段を介して該セクタの再生を行い、その再生特性を第２の再生特性として取得するセクタ管理情報取得手段と、
前記ビットパターン記録媒体上の各セクタの平均磁化状態、前記第１の再生特性、及び前記第２の再生特性をセクタ管理情報として記憶するセクタ管理情報記憶手段と、
前記ビットパターン記録媒体上の各セクタのうち、セクタエラーが発生するセクタについて、前記ビットパターン記録媒体上での該セクタを、該セクタに対応する前記セクタ管理情報に含まれる前記第１の再生特性及び前記第２の再生特性のうち再生特性が良いほうに対応する磁化方向に前記磁界印加手段を介して磁化させる平均磁化方向制御手段と、
ことを特徴とするビットパターン記録媒体の情報再生装置。
【図面の簡単な説明】
【００６８】
【図１】ＢＰＲ媒体の断面構成図である。
【図２】ＢＰＲ媒体の作製処理を示すフロー図である。
【図３】ＢＰＲ再生ヘッドとＢＰＲ−ＲＯＭ媒体との関係を示す構成図である。
【図４】本発明による情報再生装置の実施形態の構成図である。
【図５】セクタ管理情報の取得と設定の処理を示す動作フローチャートである。
【図６】セクタ管理テーブルの構成図である。
【図７】ＢＰＲ−ＲＯＭ媒体上の極性配置例を示した図（その１）である。
【図８】ＢＰＲ−ＲＯＭ媒体上の極性配置例を示した図（その２）である。
【図９】ＢＰＲ−ＲＯＭ媒体上の極性配置例を示した図（その３）である。
【図１０】隣接セクタ情報を含むセクタ管理テーブルの構成図である。
【図１１】隣接トラックの磁化状態が再生トラックに及ぼす影響を示す説明図である。
【図１２】極性反転部の信号波形を示す図である。
【図１３】バッファ領域を有するＢＰＲ−ＲＯＭ媒体の構成図である。
【図１４】バッファ領域制御を行う再生処理系の構成図である。
【図１５】バッファ領域制御を行う再生処理系の動作タイミング図である。
【図１６】ハードディスクの一般的な模式図である。
【図１７】垂直磁気記録方式の模式図である。
【図１８】ＢＰＲ方式の模式図である。
【図１９】ＢＰＲ−ＲＯＭの模式図である。
【図２０】再生波形におけるアシンメトリの説明図である。
【図２１】再生波形におけるクロストークの説明図である。
【符号の説明】
【００６９】
１０１  ガラス基板
１０２  下地層
１０３、１７０１  軟磁性裏打ち層
１０４  中間層
１０５  非磁性層
１０６  垂直磁気記録層
１０７  保護層
１０８  潤滑層
３０１、４０４、１６０５  サスペンション
３０２  スライダ
３０３  磁界印加素子
３０４、１７０６  再生素子
３０５、４０１  ＢＰＲ−ＲＯＭ媒体
４０２、１６０２  スピンドルモータ
４０３、１６０６  磁気ヘッド
４０５、１６０４  ボイスコイルモータ
４０６  プリアンプ
４０７  メインコントローラユニット
４０８  データバッファメモリ
４０９  フラッシュメモリ
４１０  サーボコントローラ
７０１、１１０１  再生トラック
７０２、１１０２  隣接トラック
７０３  Ｐｏｌａｒｉｔｙ１
７０４  Ｐｏｌａｒｉｔｙ０
８０１  Ｐｏｌａｒｉｔｙ０のセクタ
８０２  Ｐｏｌａｒｉｔｙ１のセクタ
９０１  再生セクタ
９０２  第１の隣接セクタ
９０３  第２の隣接セクタ
１１０３  磁束の流れ
１２０１  信号の貼付き現象
１３０１  バッファ領域
１４０１  第１の再生処理系
１４０２  第２の再生処理系
１４０３  復調回路
１６０１  ベース
１６０３  記録媒体
１６０７  制御回路
１７０２  磁性層
１７０３  主磁極
１７０４  リターンヨーク
１７０５  コイル
１７０７  記録磁界
１７０８  媒体進行方向
１８０１、１９０１  ビットパターン
２００１  第１の出力振幅
２００２  第２の出力振幅
２００３  第１の出力中心≒第２の出力中心
２００４  第１の出力中心
２００５  第２の出力中心
２１０１  クロストーク
【図２】
2009187602.tif 000003
【図５】
2009187602.tif 000004
【図１２】
2009187602.tif 000005
【図１４】
2009187602.tif 000006
【図１５】
2009187602.tif 000007
【図１６】
2009187602.tif 000008
【図１７】
2009187602.tif 000009
【図２０】
2009187602.tif 000010
【図２１】
2009187602.tif 000011
【図１】
2009187602.tif 000012
【図３】
2009187602.tif 000013
【図４】
2009187602.tif 000014
【図６】
2009187602.tif 000015
【図７】
2009187602.tif 000016
【図８】
2009187602.tif 000017
【図９】
2009187602.tif 000018
【図１０】
2009187602.tif 000019
【図１１】
2009187602.tif 000020
【図１３】
2009187602.tif 000021
【図１８】
2009187602.tif 000022
【図１９】
2009187602.tif 000023